(57)【要約】【課題】  冷蔵庫において、蓋の摘み部の高さを低くすることなく、容器に収容される物が摘み部に接触することを防止するための技術を提供する。【解決手段】  冷蔵庫は、冷蔵庫本体内から出し入れ可能な容器を備えており、容器は、冷蔵庫本体内に保存される物が収容される容器本体と、容器本体の底部の一部に形成されている排出口を開閉するために底部の外側から排出口に脱着される蓋と、を備えており、蓋は、容器本体の底部の外側から排出口に取り付けられた状態で、底部の外側に位置する摘み部を備えている。【選択図】図５
2020076518.tif 000002
【特許請求の範囲】
【請求項１】
冷蔵庫本体内から出し入れ可能な容器を備えており、
前記容器は、
前記冷蔵庫本体内に保存される物が収容される容器本体と、
前記容器本体の底部の一部に形成されている排出口を開閉するために前記底部の外側から前記排出口に脱着される蓋と、を備えており、
前記蓋は、前記容器本体の前記底部の外側から前記排出口に取り付けられた状態で、前記底部の外側に位置する摘み部を備えている、冷蔵庫。
【請求項２】
さらに、引き出し可能な扉を備えており、
前記容器は、引き出し可能な前記扉が引き出されることによって前記冷蔵庫本体内から出され、
前記蓋が前記排出口に取り付けられた状態で、前記蓋の前記摘み部の下端が、引き出し可能な前記扉の下端より上側に位置している、請求項１に記載の冷蔵庫。
【請求項３】
前記蓋は、前記蓋を前記底部に固定するための固定部であって、前記蓋を前記底部に固定するための固定形態から前記蓋を前記底部から取り外すための非固定形態に変形可能な固定部を備える、請求項１又は２に記載の冷蔵庫。
【請求項４】
前記固定部は、前記排出口の周囲の上面に掛かる第１爪を備え、
前記固定形態は、前記第１爪の先端が前記排出口の縁よりも外側に位置している形態であり、
前記非固定形態は、前記第１爪の先端が前記排出口の縁よりも内側に位置している形態である、請求項３に記載の冷蔵庫。
【請求項５】
前記固定部は、前記摘み部が摘ままれることに連動して、前記固定形態から前記非固定形態に変形可能である、請求項３又は４に記載の冷蔵庫。
【請求項６】
前記排出口の内面には、溝が設けられており、
前記蓋は、前記蓋を前記底部に固定するための第２爪であって、前記排出口の周囲の上面に掛かる前記第２爪を備え、
前記蓋は、前記蓋が前記排出口の軸周りに回転することに起因して、前記第２爪が前記溝の内側から前記溝の外側に移動することによって前記底部に固定される、請求項１又は２に記載の冷蔵庫。
【請求項７】
前記第２爪は、前記第２爪が前記容器本体の左右方向に沿って延びている状態で前記底部に固定される、請求項６に記載の冷蔵庫。
【請求項８】
前記容器本体の第１空間における前記底部は、前記容器本体の第２空間における前記底部よりも下側に位置しており、
前記排出口は、前記第１空間における前記底部に形成されている、請求項１から７のいずれか一項に記載の冷蔵庫。
【請求項９】
前記排出口は、前記底部の上面に形成されている窪み内に形成されており、
前記蓋が前記底部に取り付けられた状態で、前記蓋の上面は、前記窪みの周囲の上面と面一又はその周囲の上面よりも下側に位置する、請求項１から８のいずれか一項に記載の冷蔵庫。
【請求項１０】
前記冷蔵庫本体内の前記容器の下側に位置している冷凍室をさらに備える、請求項１から９のいずれか一項に記載の冷蔵庫。
【発明の詳細な説明】
【技術分野】
【０００１】
本明細書に開示する技術は、容器を備えている冷蔵庫に関する。
【背景技術】
【０００２】
特許文献１は、引き出し可能な容器を備える冷蔵庫を開示する。この容器の底面前方一側には、排出口が設けられている。排出口には、上側からキャップが被せられる。キャップの上面には、摘み部が設けられている。
【先行技術文献】
【特許文献】
【０００３】
【特許文献１】特開平１１−２３７１６５号公報
【発明の概要】
【発明が解決しようとする課題】
【０００４】
特許文献１では、キャップの摘み部は容器内に位置する。このため、容器内に保存される物が摘み部に接触するという問題がある。
【０００５】
また、容器内に保存される物が摘み部に接触しないように、摘み部の高さを低くすることが考えられる。しかし、摘み部の高さを低くすると、ユーザがキャップを摘まむことが難しくなる。
【０００６】
本明細書では、摘み部の高さを低くすることなく、容器に収容される物が摘み部に接触することを防止するための技術を提供する。
【課題を解決するための手段】
【０００７】
本明細書に開示する冷蔵庫は、冷蔵庫本体内から出し入れ可能な容器を備えており、
前記容器は、前記冷蔵庫本体内に保存される物が収容される容器本体と、前記容器本体の底部の一部に形成されている排出口を開閉するために前記底部の外側から前記排出口に脱着される蓋と、を備えており、前記蓋は、前記容器本体の前記底部の外側から前記排出口に取り付けられた状態で、前記底部の外側に位置する摘み部を備えていてもよい。
【図面の簡単な説明】
【０００８】
【図１】冷蔵庫の正面図である。
【図２】図１のII-II線における断面図である。
【図３】野菜室容器の斜視図である。
【図４】野菜室容器の上面図である。
【図５】図４のV-V線における断面図である。
【図６】第１実施例の蓋の斜視図である。
【図７】容器に取り付けられた蓋の上面図である。
【図８】図７のVIII-VIII線における断面図である。
【図９】比較例の断面図である。
【図１０】第２実施例の蓋の斜視図である。
【図１１】第２実施例の蓋の平面図である。
【図１２】容器に取り付けられた蓋の上面図である。
【図１３】図１２のXIII-XIII線における断面図である。
【発明を実施するための形態】
【０００９】
（第１実施例）
（冷蔵庫１０の構成）
図面を参照して、実施例の冷蔵庫１０について説明する。図１、図２に示すように、冷蔵庫１０には、その内部に、冷蔵室１２、野菜室１４、製氷室１６、上部冷凍室１８及び下部冷凍室１９が設けられている。冷蔵室１２及び野菜室１４は冷蔵温度帯の貯蔵室であり、製氷室１６、上部冷凍室１８及び下部冷凍室１９は冷凍温度帯の貯蔵室である。なお、図中には、ＸＹＺ座標が記載されており、Ｘ軸方向は、冷蔵庫１０の左右方向を示し、Ｙ軸方向は、冷蔵庫１０の前後方向を示し、Ｚ軸方向は、冷蔵庫１０の上下方向を示す。
【００１０】
冷蔵室１２は、最上段に設けられている。冷蔵室１２の下段には、野菜室１４が設けられている。野菜室１４の下段には、製氷室１６及び上部冷凍室１８が設けられている。製氷室１６及び上部冷凍室１８の下段には、下部冷凍室１９が設けられている。
【００１１】
また、冷蔵庫１０は、各室１２、１４、１６、１８、１９を開閉するための各扉１２ａ、１４ａ、１６ａ、１８ａ、１９ａを備える。扉１２ａは、両開きの扉である。扉１４ａ、１６ａ、１８ａ、１９ａは、引き出し可能な扉である。例えば、扉１４ａが引き出されることによって野菜室１４内から野菜室容器２０が引き出される。図２では、扉１４ａ、１８ａ、１９ａが引き出される状態が破線で描かれている。また、図２に示すように、野菜室容器２０の下端と上部冷凍室１８内の容器（符号省略）の上端の間には、隙間が存在する。
【００１２】
（野菜室容器２０の構成）
図３から図５を参照して、野菜室容器２０について説明する。図３に示すように、野菜室容器２０の前面には扉１４ａが固定されている。図３から図５に示すように、野菜室容器２０は、容器本体２２と、容器本体２２の底部２２１に形成されている円形の排出口２２１ａを開閉するための円形の蓋４０と、を備える。なお、図４では、扉１４ａの図示が省略されている。
【００１３】
容器本体２２内の空間は、第１空間Ｓ１、第２空間Ｓ２及び第３空間Ｓ３に分けられる。第１空間Ｓ１は、主に、調味料、飲料缶等を保存するための空間である。第２空間Ｓ２は、主に、野菜等を保存するための空間である。第３空間Ｓ３は、主に、ペットボトルを保存するための空間である。
【００１４】
図４に示すように、第１空間Ｓ１と第２空間Ｓ２は、左右に並んでおり、第１空間Ｓ１と第２空間Ｓ２は連通している。即ち、第１空間Ｓ１と第２空間Ｓ２の間に仕切り板はない。第１空間Ｓ１は、第２空間Ｓ２の右側（即ちＸ軸正方向の側）に位置している。また、第３空間Ｓ３は、第１空間Ｓ１と第２空間Ｓ２よりも前側に位置している。そして、第３空間Ｓ３は、仕切り板２４によって第１空間Ｓ１と第２空間Ｓ２から仕切られている。
【００１５】
図４、図５に示すように、容器本体２２の底部のうちの第１空間Ｓ１における底部２２１には、窪み２２１ｃが形成されている。窪み２２１ｃは、底部２２１の中心よりも前側に位置している。窪み２２１ｃは、底部２２１の中心よりも右側（即ちＸ軸正方向の側）に位置している。そして、窪み２２１ｃの底面には、排出口２２１ａが形成されている。排出口２２１ａは、容器本体２２の底部に溜まったゴミ（例えば、容器本体２２内に保存された野菜から出るゴミ）を容器本体２２の外に排出するための孔である。
【００１６】
図５に示すように、容器本体２２の底部のうちの第１空間Ｓ１における底部２２１は、容器本体２２の底部のうちの第２空間Ｓ２における底部２２２よりも下側に位置している。別言すれば、容器本体２２の第１空間Ｓ１における深さは、容器本体２２の第２空間Ｓ２における深さよりも深い。これにより、野菜よりも背の高い調味料、飲料缶を第１空間Ｓ１内で保存することができる。
【００１７】
図５に示すように、容器本体２２の第３空間Ｓ３における深さは、容器本体２２の第２空間Ｓ２における深さよりも深い。即ち、容器本体２２は、第３空間Ｓ３において最も深い。これにより、調味料、飲料缶よりも背の高いペットボトルを第３空間Ｓ３内で保存することができる。
【００１８】
また、蓋４０は、容器本体２２の底部２２１の下側から排出口２２１ａに脱着される。蓋４０は、摘み部４２と爪４４を備える。摘み部４２は、蓋４０を摘まむための部分である。摘み部４２の形状については後述する。摘み部４２は、蓋４０が容器本体２２の底部２２１の下側から排出口２２１ａに取り付けられた状態で下側を向く。そして、摘み部４２の下端は、蓋４０が排出口２２１ａに取り付けられた状態で、扉１４ａの下端より上側に位置している。
【００１９】
爪４４は、蓋４０を底部２２１に固定するための爪である。爪４４の形状とその固定方法については後述する。爪４４は、蓋４０が容器本体２２の底部２２１の下側から排出口２２１ａに取り付けられた状態で上側を向く。図５に示すように、爪４４の上面（即ち蓋４０の上面）は、底部２２１の上面のうちの窪み２２１ｃの周囲の上面（即ち底部２２１の上端面）と面一である。
【００２０】
（蓋４０の構成）
図６から図８を参照して、蓋４０について説明する。図６は、蓋４０を摘み部４２が形成されている面から見た斜視図である。図６に示すように、蓋４０は、円板状である。摘み部４２は、蓋４０の面外方向に突出している。摘み部４２は、円弧状に湾曲している。摘み部４２は、蓋４０が排出口２２１ａに取り付けられた状態で、Ｚ軸の負方向の側、即ち、下側に突出するように湾曲している。摘み部４２の高さは、４ｍｍ以上である。なお、摘み部４２は、円弧状に湾曲していなくてもよく、例えば、四角形状でもよい。
【００２１】
図７は、蓋４０が排出口２２１ａに取り付けられる場合に、蓋４０を上側から見た図である。上記したように、摘み部４２は、蓋４０が排出口２２１ａに取り付けられた状態で下側を向く。このため、図７では、摘み部４２は見えない。
【００２２】
爪４４は、一方向に延びる棒状の部位である。爪４４の両端部は、窪み２２１ｃの底面（即ち、排出口２２１ａの周囲の上面）に掛かる。これにより、蓋４０が底部２２１に固定される。
【００２３】
排出口２２１ａの内面には、互いに向かい合う一対の溝２２１ｂが形成されている。一対の溝２２１ｂは、前後方向（即ちＹ軸方向）に沿って並んでいる。ユーザは、以下に示す順序で蓋４０を排出口２２１ａに取り付ける。まず、ユーザは、爪４４の両端部を一対の溝２２１ｂの内側に位置させつつ、蓋４０の爪４４を溝２２１ｂに挿入する。ユーザは、爪４４が溝２２１ｂの上端を通過すると、蓋４０を排出口２２１ａの軸周りに回転させる。これにより、爪４４の両端部が一対の溝２２１ｂの外側に移動し、爪４４が排出口２２１ａの周囲の上面に掛かり、蓋４０が底部２２１に固定される。
【００２４】
図８に示すように、排出口２２１ａの周囲の上面には、互いに向かい合う一対の凸部２２１ｅが形成されている。一対の凸部２２１ｅは、左右方向（即ちＸ軸方向）に沿って並んでいる。一方、爪４４の両端部の下側には、一対の凹部４４ｅが形成されている。上記したように蓋４０を排出口２２１ａの軸周りに回転させると、爪４４の両端部は、一対の溝２２１ｂから遠ざかり一対の凸部２２１ｅに近づく。そして、一対の凸部２２１ｅが爪４４の両端部の一対の凹部４４ｅの内側に収容されることによって、爪４４の回転が規制され、爪４４が底部２２１に固定される。即ち、爪４４は、爪４４が左右方向に沿って延びている状態で底部２２１に固定される。なお、「爪４４が左右方向に沿って延びている状態」とは、爪４４が延びる方向が左右方向と厳密に一致しなくてもよく、例えば、爪４４が延びる方向が左右方向からある角度（例えば、５度）だけ傾いた方向と一致してもよい。
【００２５】
（本実施例の効果）
図９は、蓋４１を容器本体２２の底部２２１の上側から排出口２２１ａに脱着する比較例を示す。この比較例では、蓋４１は、四角形状の摘み部４３を備える。摘み部４３は、上側を向く。摘み部４３の高さは、ユーザが摘み易いように高くするのが望ましい。しかし、摘み部４３の高さを高くすると、図９に示すように、摘み部４３の上端が容器本体２２の底部２２１の上端面よりも上側に位置する。この場合、摘み部４３が容器本体２２に保存される物と接触するという問題が生じる。さらに、図９に示すように、摘み部４３が四角形状である場合には、摘み部４３の角部が容器本体２２に保存される物と接触するという問題も生じる。
【００２６】
これに対して、本実施例では、摘み部４２は、蓋４０が容器本体２２の底部２２１の下側から排出口２２１ａに取り付けられた状態で下側を向く。このため、摘み部４２が容器本体２２に保存される物と接触するという問題を解消することができる。さらに、摘み部４２が下側を向くので、摘み部４２の形状を四角形状にしても、その角部が保存される物と接触するという問題も生じない。
【００２７】
さらに、上記したように、野菜室容器２０の下端と上部冷凍室１８内の容器の上端との間には隙間が存在する。このため、下側を向いている摘み部４２をその隙間の範囲内において高くすることができる。摘み部４２を高くすることで、蓋４０を摘まみ易くすることができる。ユーザの利便性が向上する。
【００２８】
また、上記したように、摘み部４２の下端が扉１４ａの下端より上側に位置している。このため、蓋４０が排出口２２１ａに取り付けられる場合に、蓋４０の摘み部４２が扉１４ａによって遮られる。例えば、前側から扉１４ａに近づく物体は、扉１４ａによって遮られる。この結果、その物体が摘み部４２に接触することを防止することができる。物体の接触によって蓋４０が誤って取り外されることを防止することができる。また、摘み部４２が扉１４ａによって遮られることにより摘み部４２が前側から視認されることを防止することができる。前側から視認されないことにより冷蔵庫１０の美観が損なわれることを防止することができる。
【００２９】
また、上記したように、蓋４０は、排出口２２１ａの軸周りに回転させることによって、底部２２１に固定される。ネジ等の部材を利用して蓋４０を底部２２１に固定する方法と比較して、簡易に蓋４０を底部２２１に固定させることができる。
【００３０】
また、上記したように、爪４４は、爪４４が左右方向に沿って延びる状態で底部２２１に固定される。例えば、爪４４が前後方向に沿って延びる状態で底部２２１に固定される構成と比較して、蓋４０を回転させて排出口２２１ａに取り付ける際の操作性を向上させることができる。
【００３１】
また、上記したように、排出口２２１ａは、第２空間Ｓ２における底部２２２よりも下側に位置し、かつ、第２空間Ｓ２から仕切られることなく連通している第１空間Ｓ１における底部２２１に形成されている。底部２２２上のゴミは、底部２２２よりも下側に位置している底部２２１に簡単に集めることができる。そして、底部２２２上のゴミと底部２２１上のゴミをまとめて排出口２２１ａから容器本体２２の外側に排出することができる。
【００３２】
また、上記したように、蓋４０の上面は、底部２２１の上端面と面一である。これにより、蓋４０の上面、特に、爪４４の端部は、底部２２１の上端面よりも上側に位置しない。この結果、爪４４の端部を容器本体２２に保存される物に接触し難くすることができる。
【００３３】
また、上記したように、野菜室容器２０の下側には、上部冷凍室１８が存在する。このため、野菜室１４と上部冷凍室１８の間で蓋４０を介して熱が伝わる可能性がある。上記したように、本実施例では、摘み部４２を高くすることが可能である。摘み部４２を高くして、蓋４０の全体を厚くすることによって、熱を伝わり難くすることができる。
【００３４】
（対応関係）
扉１４ａ、野菜室容器２０、容器本体２２、排出口２２１ａ、蓋４０、摘み部４２が、それぞれ、「扉」、「容器」、「容器本体」、「排出口」、「蓋」、「摘み部」の一例である。一対の溝２２１ｂ、爪４４が、それぞれ、「溝」、「第２爪」の一例である。第１空間Ｓ１、第２空間Ｓ２が、それぞれ、「第１空間」、「第２空間」の一例である。窪み２２１ｃが、「窪み」の一例である。上部冷凍室１８が、「冷凍室」の一例である。
【００３５】
（第２実施例）
本実施例は、蓋４０の代わりに、蓋１４０が排出口２２１ａに取り付けられる点と排出口２２１ａに溝２２１ｂが形成されていない点を除いて、第１実施例と同様である。図１０から図１３を参照して、蓋１４０について説明する。
【００３６】
図１０は、蓋１４０を摘み部１４２ａ、１４２ｂが形成されている面から見た斜視図である。図１１は、蓋１４０を摘み部１４２ａ、１４２ｂが形成されている面とは反対側の面から見た平面図である。図１０、図１１に示すように、蓋１４０は、円板状である。蓋１４０の端面には、円形の窪み１４０ｃが形成されている。窪み１４０ｃの中心には、その内面から内面に亘って伸びている支持部１５０が形成されている。支持部１５０の延伸方向に沿った一側面からは、弾性部１５２ａが蓋１４０の面内方向に沿って延びている。弾性部１５２ａの先端には、基部１５４ａが形成されている。基部１５４ａからは、蓋１４０の面外方向に沿って摘み部１４２ａが延びている。さらに、基部１５４ａからは、蓋１４０の面内方向に沿って爪１４４ａが延びている。爪１４４ａは、窪み１４０ｃの内面に形成されている孔１４０ａを貫通して、窪み１４０ｃの外側まで延びている。上記一側面の裏側の側面からも、同様に、弾性部１５２ｂが延びており、弾性部１５２ｂの先端にも、同様に、基部１５４ｂ、摘み部１４２ｂ、爪１４４ｂが形成されている。なお、支持部１５０には、弾性部１５２ａを支持部１５０に固定するためのリブ１５０ａが形成されている。図１１に示すように、窪み１４０ｃの底面には、リブ１５０ａを形成する金型を抜くための孔１４０ｄが形成されている。同様に、弾性部１５２ｂを固定するためのリブ１５０ｂと、リブ１５０ｂの形成のための孔１４０ｅと、が形成されている。
【００３７】
各摘み部１４２ａ、１４２ｂが摘ままれると、各弾性部１５２ａ、１５２ｂが圧縮され、各基部１５４ａ、１５４ｂが窪み１４０ｃの内側へと移動する。この結果、各爪１４４ａ、１４４ｂが各孔１４０ａ、１４０ｂ内に移動する。以下、各爪１４４ａ、１４４ｂが各孔１４０ａ、１４０ｂ内に移動した形態を「固定形態」と記載する。その後、各摘み部１４２ａ、１４２ｂから指が離れると、各弾性部１５２ａ、１５２ｂが復元し、各基部１５４ａ、１５４ｂが窪み１４０ｃの外側へと移動する。この結果、各爪１４４ａ、１４４ｂが各孔１４０ａ、１４０ｂから窪み１４０ｃの外側へと移動する。以下、各爪１４４ａ、１４４ｂが各孔１４０ａ、１４０ｂから窪み１４０ｃの外側へと移動した形態を「非固定形態」と記載する。即ち、蓋４０は、固定形態から非固定形態に変形可能な固定部を備えており、固定部は、各部１５２ａ、１５２ｂ、１５４ａ、１５４ｂ、１４４ａ、１４４ｂを備える。
【００３８】
図１２は、蓋１４０が容器本体２２の底部２２１の下側から排出口２２１ａに取り付けられる場合に、蓋１４０を上側から見た図である。摘み部１４２ａ、１４２ｂは、排出口２２１ａに取り付けられた状態で下側を向くため、図７では、摘み部１４２ａ、１４２ｂは見えない。
【００３９】
ユーザは、以下に示す順序で蓋１４０を排出口２２１ａに取り付ける。まず、ユーザは、蓋１４０の摘み部１４２ａ、１４２ｂを摘まむ。これに連動して、上記したように、爪１４４ａ、１４４ｂが窪み１４０ｃの内側へ移動する。これにより、蓋４０の固定部は、非固定形態に変形する。ユーザは、この形態で、蓋１４０の爪１４４ａ、１４４ｂを排出口２２１ａに挿入する。ユーザは、爪１４４ａ、１４４ｂが排出口２２１ａの上端を通過すると、摘み部１４２ａ、１４２ｂから指を離す。これにより、蓋４０の固定部は、固定形態に変形する。この結果、爪１４４ａ、１４４ｂが排出口２２１ａの周囲の上面に掛かり、蓋４０が底部２２１に固定される。
【００４０】
また、図１３に示すように、蓋１４０の上面は、底部２２１の上面のうちの窪み２２１ｃの周囲の上面（即ち底部２２１の上端面）と面一である。
【００４１】
（本実施例の効果）
本実施例でも、第１実施例と同様に、摘み部１４２ａ、１４２ｂが容器本体２２に保存される物と接触するという問題を解消できるとともに、摘み部１４２ａ、１４２ｂを高くすることで、蓋１４０を摘まみ易くすることができる。
【００４２】
また、上記したように、蓋１４０の固定部は、窪み１４０ｃの内側から外側へと爪１４４ａ、１４４ｂが移動して、非固定形態から固定形態に変形して、底部２２１に固定される。即ち、第１実施例と異なり、蓋１４０を排出口２２１ａの軸周りに回転させることなく、蓋１４０を底部２２１に固定することができる。ユーザの利便性が向上する。
【００４３】
また、上記したように、爪１４４ａ、１４４ｂは、摘み部１４２ａ、１４２ｂが摘ままれることに連動して移動する。これにより、ユーザは、摘み部１４２ａ、１４２ｂを指で摘まんでから離すという一連の動作によって、蓋１４０を底部２２１に固定することができる。ユーザの利便性が向上する。
【００４４】
（対応関係）
蓋１４０が、「蓋」の一例である。爪１４４ａ、１４４ｂが、「第１爪」の一例である。
【００４５】
（変形例）
上記の各実施例の変形例を以下に記載する。各実施例において、摘み部４２（又は１４２ａ、１４２ｂ）の下端が扉１４ａの下端より下側に位置していてもよい。
【００４６】
第１実施例において、爪４４は、爪４４が左右方向に沿って延びる状態に限らず、例えば、爪４４が前後方向に沿って延びる状態で底部２２１に固定されてもよい。
【００４７】
各実施例において、排出口２２１ａは、第１空間Ｓ１における底部２２１に限らず、第２空間Ｓ２における底部２２２及び第３空間Ｓ３における底部のうちの少なくとも一方に形成されていてもよい。
【００４８】
各実施例において、蓋４０（又は１４０）の上面は、底部２２１の上端面と面一でなくてもよく、底部２２１の上端面よりも下側に位置していてもよい。また、蓋４０（又は１４０）の上面は、底部２２１の上端面よりも上側に位置していてもよい。
【００４９】
各実施例において、野菜室容器２０の下側には、上部冷凍室１８が存在しなくてもよい。例えば、野菜室１４が冷蔵庫１０の最下段に設けられてもよいし、野菜室１４の下の他の冷蔵室が設けられてもよい。
【００５０】
第２実施例において、蓋１４０の固定部は、例えば、摘み部４２とは異なるボタン、レバー等が操作されることに連動して、変形してもよい。
【００５１】
蓋１４０の固定部は、爪１４４ａ、１４４ｂを備える第２実施例の構成に限らず、例えば、排出口２２１ａの内側面に形成されている孔に抜き差し可能な棒を備え、当該棒が当該孔に挿入される固定形態から当該棒が当該孔から抜かれる非固定形態に変形可能な固定部であってもよい。
【００５２】
第２実施例において、蓋１４０は、摘み部１４２ａ、１４２ｂが摘ままれることに連動して変形する固定部を備えていなくてもよい。例えば、蓋１４０は弾性変形可能な弾性爪を備えていてもよい。例えば、弾性爪は、弾性変形しながら排出口２２１ａを通過し、排出口２２１ａの上端を通過した際に復元して、排出口２２１ａの周囲の上面に掛かる。これにより、蓋１４０が底部２２１に固定されてもよい。上記の弾性爪が、「固定部」の一例である。
【００５３】
各実施例の構成は、野菜室容器２０に限らず、例えば、上部冷凍室１８内の容器、冷蔵室１２内に出し入れ可能に収容される容器等に採用されてもよい。例えば、冷蔵室１２内の内側面に溝が設けられており、当該溝内をスライドして冷蔵室１２内から出し入れ可能な棚状の容器に採用されてもよい。
【００５４】
各実施例では、排出口２２１ａは、窪み２２１ｃの底面に形成されている。これに代えて、排出口２２１ａは、窪み２２１ｃの内側面（例えば、右側の内側面）に形成されてもよい。この場合、蓋４０（１４０）は、底部２２１の右外側から排出口２２１ａに脱着され、摘み部４２（１４２）は、底部２２１の右外側に位置してもよい。一般的に言えば、「蓋」は、底部の外側から排出口に脱着され、「摘み部」は、底部の外側に位置すればよい。
【００５５】
各実施例では、爪４４（１４４ａ、１４４ｂ）は、窪み２２１ｃの底面に掛かる。これに代えて、窪み２２１ｃの底面に特定の部材が配置されており、爪４４（１４４ａ、１４４ｂ）は、特定の部材の上面に掛かってもよい。
【００５６】
各実施例において、窪み２２１ｃは設けられていなくなくてもよく、排出口２２１ａは、底部２２１の上端面に形成されていてもよい。
【００５７】
蓋４０（１４０）及び排出口２２１ａは、円形に限らず、例えば、四角形等の多角形、楕円形等であってもよい。
【００５８】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５９】
１０      ：冷蔵庫
１２      ：冷蔵室
１４      ：野菜室
１６      ：製氷室
１８      ：上部冷凍室
１９      ：下部冷凍室
１２ａ、１４ａ、１６ａ、１８ａ、１９ａ    ：扉
２０      ：野菜室容器
２２      ：容器本体
２４      ：仕切り板
２２１、２２２    ：底部
２２１ａ  ：排出口
２２１ｂ  ：溝
２２１ｃ  ：窪み
２２１ｅ  ：凸部
Ｓ１      ：第１空間
Ｓ２      ：第２空間
Ｓ３      ：第３空間
４０      ：蓋
４２      ：摘み部
４４      ：爪
４４ｅ    ：凹部
１４０    ：蓋
１４０ａ、１４０ｂ  ：孔
１４０ｃ  ：窪み
１４２ａ、１４２ｂ  ：摘み部
１４４ａ、１４４ｂ  ：爪
１５０    ：支持部
１５２ａ、１５２ｂ  ：弾性部
１５４ａ、１５４ｂ  ：基部
【図１】
2020076518.tif 000003
【図２】
2020076518.tif 000004
【図３】
2020076518.tif 000005
【図４】
2020076518.tif 000006
【図５】
2020076518.tif 000007
【図６】
2020076518.tif 000008
【図７】
2020076518.tif 000009
【図８】
2020076518.tif 000010
【図９】
2020076518.tif 000011
【図１０】
2020076518.tif 000012
【図１１】
2020076518.tif 000013
【図１２】
2020076518.tif 000014
【図１３】
2020076518.tif 000015